(57)【要約】【課題】装置本体の裏面側に排出された液体が装置本体の裏面と設置面との間に滞留することを防ぐことができるとともに、蓋体の形状を任意の形状に形成することができる。【解決手段】排水溝１２と排水ドレン１５と溝部９とを設けたことにより、使用者が誤って第１の筐体１の上面１ａに水などの液体をこぼしてしまったとしても、ディスクドライブ１１への液体の侵入を防ぎ、ディスクドライブ１１が破損するのを防ぐことができる。また、排水ドレン１５を溝部９に結合する構成としたことにより、排水ドレン１５から排水された液体を溝部９に滞留させることができる。よって、液体が広範囲に広がるのを防ぐことができ、第１の筐体１の裏面１ｅに配された各種電気部品に液体が付着するのを防ぐことができる。【選択図】図４
2010049653.tif 000002
【特許請求の範囲】
【請求項１】
第１面と、前記第１面に対向する第２面とを備えた筐体と、
前記第１面から前記第２面に至るまで貫通形成された排水ドレンとを備えた排水装置であって、
前記第２面に、前記排水ドレンに結合した溝部が形成されている、排水装置。
【請求項２】
前記溝部は、少なくとも一部が、前記筐体における前記第１面及び前記第２面に隣接する第３面において開口している、請求項１記載の排水装置。
【請求項３】
前記排水ドレンは、前記第１面及び前記第２面の縁部よりも内側に形成されている、請求項１記載の排水装置。
【請求項４】
第１面と、前記第１面に対向する第２面と、情報処理手段と、前記情報処理手段に対し情報信号を授受し前記第１面にディスク状情報媒体を挿脱する開口部を有するディスクドライブとを内蔵した筐体と、
前記筐体に請求項１〜３のいずれか１項に記載の排水装置とを備える、情報処理装置。
【請求項５】
前記開口部を回動軸回りの回動により開閉可能な蓋体を備え、
前記蓋体が前記開口部を閉塞する時に前記回動軸に対向する前記蓋体の対辺が係合する前記開口部の外郭辺側における前記筐体の側面に、把持することで当該筐体を運搬することができる把持部材を備える、請求項４記載の情報処理装置。
【発明の詳細な説明】
【技術分野】
【０００１】
本発明は、装置に侵入した水などの液体を外部に排水することができる排水装置に関する。また、そのような排水装置を備えた情報処理装置に関する。
【背景技術】
【０００２】
近年、ノートパソコンにおいても、飲料のこぼしや野外等の使用に備えて、防水・防滴機能を備えたものが増加している。防水・防滴機能の一例としては、パソコン上面から侵入した液体がパソコン内部に溜まらないようにパソコン底面側へ逃がす、排水用のドレンが設けられているものがある。
【０００３】
また、特許文献１には、リンク機構の嵌挿口が側面に開口する複数の保持部をスイッチパネルと一体成形すると共に、防水機構として成形孔を介し裏面に通じる嵌挿口に水滴を導く面をスイッチパネルの表面に設け、且つ、スイッチユニットとサポートパネルを貫通可能な長さを有し成形孔を取り囲む排水筒を、スイッチパネルの形成時にスイッチパネルの裏面に一体成形してなるように構成したキーボードが開示されている。
【０００４】
また、特許文献２には、ベースプレートと、ベースプレートに装着された複数のキーボタンと、それらのキーボタン間に浸透した液体を排水する排水手段とを含むように構成したキーボードアセンブリを備えたノートブック型コンピュータが開示されている。
【０００５】
また、特許文献３には、ディスク記録媒体の着脱が可能なディスク駆動装置を備えたノートパソコン本体にディスク駆動装置を覆うディスクカバーと、ノートパソコンの下筐体にはディスクカバーの両側に対応する溝とによる排水構造によって、電気的故障の原因となる液体を、ディスク駆動装置上部からの浸入に対しても効果的に排出することができる携帯型情報処理装置が開示されている。
【特許文献１】特開平０７−２３４７４９号公報
【特許文献２】特開２００３−１２２４５４号公報
【特許文献３】特開２００７−２４９６２４号公報
【発明の開示】
【発明が解決しようとする課題】
【０００６】
しかしながら、筐体と設置面（卓上面）との間に十分な排水領域が無い場合には、前記の排水ドレンを介して底面側へと排水された液体は、表面張力が生じて排水溝から外部に流れ出ずに、その場に留まってしまうことになる。そのため、排水ドレン付近は、設置面とのクリアランスを十分にとるために、筐体裏面に配された足ゴム等の高さを高くして広い空間を確保するか、空間が確保できているエリアへのドレンを配置するなどの制約があった。
【０００７】
また、キーボード等が配された筐体上面にディスクドライブを備えたノートパソコンであれば、使用者が上面に液体をこぼしてしまった場合、ディスクドライブを開閉する蓋体と筐体上面との隙間からディスクドライブ内に液体が侵入してしまうことがある。ディスクドライブ内に侵入した液体を外部に排水するために、ディスクドライブ内の縁部に排水溝を形成する構成が考えられるが、このような構成の場合、排水溝に溜まった液体を筐体外部に流す必要があるため、排水溝を筐体の前面に至るまで形成し、蓋体を筐体の前面まで覆う形状にする必要があった。
【０００８】
本発明は、装置本体の裏面側に排出された液体が装置本体の裏面と設置面との間に滞留することを防ぐことができるとともに、蓋体の形状を任意の形状に形成することができる排水装置およびそれを備えた情報処理装置を実現することを目的とする。
【課題を解決するための手段】
【０００９】
本発明の排水装置は、第１面と、前記第１面に対向する第２面とを備えた筐体と、前記第１面から前記第２面に至るまで貫通形成された排水ドレンとを備えた排水装置であって、前記第２面に、前記排水ドレンに結合した溝部が形成されているものである。
【００１０】
本発明の情報処理装置は、第１面と、前記第１面に対向する第２面と、情報処理手段と、前記情報処理手段に対し情報信号を授受し前記第１面にディスク状情報媒体を挿脱する開口部を有するディスクドライブとを内蔵した筐体と、前記筐体に上記排水装置とを備えるものである。
【発明の効果】
【００１１】
本発明により、空間確保や設置場所に制約なく、排水ドレンを設置することを可能とし、効率的な排水を可能とした。また、蓋体の形状を任意の形状にすることができる。
【発明を実施するための最良の形態】
【００１２】
本発明の排水装置または情報処理装置において、前記溝部は、少なくとも一部が、前記筐体における前記第１面及び前記第２面に隣接する第３面において開口している構成とすることができる。このような構成とすることで、溝部に滞留した液体を速やかに、筐体と設置面との隙間から外部へ排出することができる。
【００１３】
本発明の排水装置または情報処理装置において、前記排水ドレンは、前記第１面及び前記第２面の縁部よりも内側に形成されている構成とすることができる。このような構成とすることで、排水ドレンを筐体の縁部まで設ける必要がなくなる。
【００１４】
（実施の形態）
図１は、本実施の形態の情報処理装置の外観を示す斜視図であり、情報処理装置の一例であるノートパソコンの第１の状態を示す。図２は、本実施の形態におけるノートパソコンにおいて蓋体１０（後述）が開いた状態を示す斜視図である。なお、本実施の形態では、情報処理装置の一例としてノートパソコンを挙げたが、携帯電話端末、在庫管理用端末あるいは医療機器などのように、少なくとも排水機能を備えることができる情報処理装置であればよい。
【００１５】
図１に示すように、ノートパソコンは、各種電気素子が実装された回路基板やハードディスクドライブなどを内蔵した第１の筐体１と、液晶ディスプレイ２ａを備えた第２の筐体２とから構成されている。第１の筐体１と第２の筐体２とは、ヒンジ部３によって互いに回動自在に支持されている。第２の筐体２を、図１に示す位置（第１の状態）から矢印Ａに示す方向へ回動させることで、液晶ディスプレイ２ａとキーボード５とが近接対向した第２の状態へ移行させることができる。
【００１６】
また、第２の状態において第２の筐体２と対向する第１の筐体１の面を上側とすると、第１の筐体１の上面１ａには、各種文字の入力操作が可能なキーボード５と、液晶ディスプレイ２ａに表示されるカーソルを所望の位置へ移動する操作が可能なポインティングデバイス６とを備えている。また、第１の筐体１の上面１ａには、蓋体１０を備えている。
【００１７】
蓋体１０は、矢印Ｂに示す方向（図１）または矢印Ｃに示す方向（図２）へ回動可能に、第１の筐体１に支持されている。蓋体１０は、図２に示すように第１の筐体１に凹状に配されたディスクドライブ１１を開閉することができるものである。ディスクドライブ１１内には、排水溝１２，ターンテーブル１３，光ピックアップ１４などが配されている。ターンテーブル１３は、ディスク状媒体２１の中央に形成された円形の孔部２２と嵌合することで、ディスク状媒体２１を保持することができる。光ピックアップ１４は、ターンテーブル１３に装着されたディスク状媒体２１の記録面に対してレーザー光を出射して記録面に情報を記録したり、ディスク状媒体２１の記録面に対してレーザー光を出射し記録面を反射した光を光ピックアップ１４に配された受光素子で受光することで、ディスク状媒体２１に記録された情報を読み取ることができるように構成されている。排水溝１２は、例えば使用者が誤って第１の筐体１の上面１ａに水などの液体をこぼしてしまった場合に、ディスクドライブ１１内に侵入しようとする液体を第１の筐体１の裏面側へ導くためのものである。
【００１８】
以下、排水構造について説明する。
【００１９】
図３は、第１の筐体１の平面図である。なお、ディスクドライブ１１内の構成を明確に表現するために、蓋体１０の図示は省略した。図３に示すように、排水溝１２は、ポインティングデバイス６の近傍において第１の筐体１の側面１ｄ（図１参照）に略平行な方向に形成された第１の排水溝１２ａと、ディスクドライブ１１において最も側面１ｃ（図１参照）に近い位置において側面１ｃに略平行な方向に形成された第２の排水溝１２ｂと、ディスクドライブ１１において第１の筐体１の側面１ｄ（図１参照）に最も近い位置において側面１ｄに略平行な方向に形成された第３の排水溝１２ｃとから構成されている。第１の排水溝１２ａと第２の排水溝１２ｂとは、流水空間が結合している。また、第２の排水溝１２ｂと第３の排水溝１２ｃとは、流水空間が結合している。また、排水溝１２の断面形状は、ディスクドライブ１１における凹状のディスク収納部１１ａの周囲において、上部（図１に示すように蓋体１０を閉じた時に蓋体１０の内面に対向する部分）が開口した略コの字状に形成されている。また、第１の排水溝１２ａ及び第３の排水溝１２ｃは、矢印Ｄ及びＦに示すように、キーボード５側の端部から側面１ｃ側の端部に向かって液体が流れるように傾斜が付与されている。また、第２の排水溝１２ｂは、矢印Ｅに示すように、側面１ｄ側から側面１ｂ側に向かって液体が流れるように傾斜が付与されている。したがって、第３の排水溝１２ｃに入った液体は、矢印Ｆに示す方向に流れ、その後矢印Ｅに示す方向に流れる。
【００２０】
また、第１の排水溝１２ａと第２の排水溝１２ｂとの結合部分には、排水ドレン１５が形成されている。排水ドレン１５は、第１の排水溝１２ａと第２の排水溝１２ｂとの結合部分において開口形成され、第１の筐体１を貫通して、第１の筐体１の裏面１ｅ（後述）に至るまで形成されている。したがって、前述したように、排水溝１２は矢印Ｄ，Ｅ，Ｆに示す方向に液体が流れるように傾斜して形成されているため、排水溝１２に侵入した液体は、排水ドレン１５に導かれ、さらに排水ドレン１５を介して第１の筐体１の裏面１ｅ側へ排水される。
【００２１】
図４は、第１の筐体１の裏面１ｅ側の平面図である。図４に示すように、第１の筐体１の裏面１ｅには、溝部９、排水ドレン１５が形成されている。また、第１の筐体１の裏面１ｅには、メモリーモジュールを着脱可能なメモリースロット８を備えている。メモリースロット８は、カバーにより覆われている。
【００２２】
溝部９は、第１の筐体１の背面１ｅにおいて側面１ｂ及び１ｄに対して略平行な方向に形成されている。また、溝部９は、側面１ｃ側の端部が側面１ｃに達し、側面１ｃにおいて開口している（開口部９ａ）。また、溝部９は、第１の筐体１の裏面１ｅにおける曲げ方向の強度を上げることができる。また、溝部９は、排水ドレン１５と空間的に結合している。
【００２３】
なお、排水ドレン１５は、図５の断面図に示すように、第１の筐体１の上面１ａ側から裏面１ｅ側へ貫通して形成されている。図５は、図４におけるＺ−Ｚ部の要部断面図である。
【００２４】
次に、排水動作について説明する。
【００２５】
図３において、使用者が誤って蓋体１０上あるいはその近傍に水などの液体をこぼしてしまった場合、液体は蓋体１０上を流れて蓋体１０と第１の筐体１との間の微小な隙間に侵入する。また、キーボード５の裏側に配された排水ドレン７の排水能力を上回る量の液体をキーボード５上にこぼしてしまった場合でも、液体が蓋体１０と第１の筐体１との間の隙間に侵入することがある。
【００２６】
隙間に侵入した液体は、排水溝１２ａ〜１２ｃを流れる。排水溝１２ａ〜１２ｃは、排水ドレン１５に向かって傾斜して形成されているため、第１の排水溝１２ａに流れた液体は矢印Ｄに示す方向へ流れ、第２の排水溝１２ｂに流れた液体は矢印Ｅに示す方向へ流れ、第３の排水溝１２ｃに流れた液体は矢印Ｆに示す方向へ流れる。すなわち、排水溝１２に流れた液体は、図５の矢印Ｇに示すように全て排水ドレン１５に向かって流れる。
【００２７】
排水ドレン１５まで流れ着いた液体は、排水ドレン１５を介して第１の筐体１の裏面１ｅ側へ流れ、裏面１ｅと設置面との間に滞留する。この時、図４に示すように、裏面１ｅ側の排水ドレン１５と溝部９とが空間的に結合しているため、裏面１ｅ側へ流れた液体は、裏面１ｅと設置面との間で広範囲に広がらず、溝部９と設置面との間に滞留する。したがって、裏面１ｅに配されているメモリースロット８側へ液体が流れる可能性は低く、毛細管現象によりメモリースロット８内に液体が侵入する可能性は低い。
【００２８】
また、溝部９は、側面１ｃにおいて開口部９ａを介して外部につながっているため、溝部９に流出した液体を速やかに第１の筐体１と設置面との間から外部へ排出することができる。また、溝部９と設置面との間に滞留させることができる液量よりも多い液体が排水ドレン１５から排水されたとしても、図５の矢印Ｈ及びＪに示すように側面１ｃにおける開口部９ａを介して、外部に速やかに排水することができる。
【００２９】
以上のように本実施の形態によれば、排水溝１２と排水ドレン１５と溝部９とを設けたことにより、使用者が誤って第１の筐体１の上面１ａに水などの液体をこぼしてしまったとしても、ディスクドライブ１１への液体の侵入を防ぎ、ディスクドライブ１１が破損するのを防ぐことができる。
【００３０】
本実施の形態におけるノートパソコンでは、図１〜図４に図示したように、当該ノートパソコンを運搬等する際に使用者が把持するハンドル４を、第１の筐体１におけるヒンジ部３に対向する側面１ｃに備える構成である。そのため、使用者等が誤ってディスクドライブ１１に進入させた液体は、ディスクドライブ１１内から排水することができないため、ディスクドライブ１１内に備える排水ドレン１５は特に有効である。
【００３１】
図６は、本発明に係る他の実施形態のノートパソコンの裏面１ｅ側の平面図である。なお、図６において、先の実施形態と同様の機能を奏する構成には同一の符号を付している。本実施形態は、排水ドレン７を溝部９と空間的に結合した点のみ先の実施形態と異なる。
【００３２】
排水ドレン７は、第１の筐体１の上面１ａにおけるキーボード５の裏面側に形成され、第１の筐体１の上面１ａから裏面１ｅまで貫通して形成されている。排水ドレン７は、使用者が誤ってキーボード５上に水などの液体をこぼしてしまった場合に、その液体を第１の筐体１の裏面１ｅ側へ導くためのものである。
【００３３】
本実施形態では、キーボード５上に誤って水などの液体をこぼしても、排水ドレン１５と同様にこぼした液体は、側面１ｃに開口させた開口部９ａに速やかに排水させることができる。
【００３４】
また、排水ドレン１５を溝部９に結合する構成としたことにより、排水ドレン１５から排水された液体を溝部９に滞留させることができる。よって、液体が第１の筐体１と設置面との間の空間において広範囲に広がるのを防ぐことができ、第１の筐体１の裏面１ｅに配された各種電気部品に液体が付着するのを防ぐことができる。
【００３５】
また、排水溝１２に流れ落ちた液体を、排水溝１２内に形成された排水ドレン１５を介して第１の筐体１の裏面１ｅ側へ排水する構成としたことにより、排水溝１２を側面１ｃに到達する位置まで形成する必要がなく、蓋体１０の形状も側面１ｃまで到達させる必要がない。したがって、任意の形状に蓋体１０を形成することができる。例えば、図１に示すように、第１の筐体１の側面１ｃに、使用者が手で把持することができるハンドル４及びそのハンドル４を支持する支持部材４１及び４２を備えたノートパソコンであった場合、従来のように側面１ｃに達する蓋体４を備えることが困難であったが、本実施の形態のような排水溝１２の構成とすることで、蓋体４を側面１ｃに達するまで設ける必要がないため、ハンドル４等を備えたノートパソコンに適用することができる。したがって、蓋体１０の形状は、排水溝１２の制約を受けないため、任意の形状に形成することができる。
【００３６】
また、裏面１ｅ側へ排水された液体を溝部９と設置面との間に滞留させる構成としたことにより、液体が裏面１ｅと設置面との間に大きく広がることが防ぎ、裏面１ｅに配されているメモリースロット８に液体が侵入するのを防ぐことができる。したがって、メモリースロット８内に配されたメモリーモジュールやコネクタなどの電気部品に液体が付着するのを防ぎ、電気部品が破損するのを防ぐことができる。
【００３７】
また、溝部９の端部を側面１ｃに開口させる構成としたことにより、溝部９と設置面との間に滞留した液体を側面１ｃの開口を介して外部に排水することができる。よって、溝部９内の液体を速やかに外部に排水することができ、第１の筐体１と設置面との間に大量の液体が滞留するのを防ぐことができる。
【００３８】
また、排水用の溝部を補強用の溝部と共用することにより、排水用の溝部を新たに形成する必要がなく、簡単に製造することができる。また、金型等の大幅変更を必要としないため、低い製造コストで実現することができる。
【００３９】
なお、本実施の形態では、ディスクドライブ１１を覆う蓋体１０の構成について説明したが、蓋体で覆うことができる凹状のものであればディスクドライブに限らない。例えば、各種入出力端子を凹部内に備えてそれを開閉する蓋構造にも適用可能である。すなわち、本実施の形態におけるディスクドライブ１１は、本発明の凹部の一例である。
【００４０】
また、本実施の形態では、溝部９を第１の筐体１の端部まで形成したが、必ずしも端部まで形成する必要はない。例えば、第１の筐体１の裏面１ｅにおいて十分な長さ（容積）の溝部を形成することができれば、裏面１ｅと設置面との間において液体の位置を安定させることができる。よって、メモリースロットなどの電気部品に液体が付着するのを防ぐことができる。
【００４１】
また、本実施の形態では、溝部９は、長手方向の一方の端部が第１の筐体１の側面１ｃに至るまで形成したが、他方の端部が第１の筐体１の側面に至るまで形成してもよい。このような構成とすることで、さらに速やかに排水を行うことができる。
【００４２】
また、本実施の形態における上面１ａは、本発明における第１面の一例である。また、本実施の形態における裏面１ｅは、本発明における第２面の一例である。また、本実施の形態における側面１ｃは、本発明における第３面の一例である。また、本実施の形態における第１の筐体１は、本発明における筐体の一例である。また、本実施の形態における溝部９は、本発明における溝部の一例である。また、本実施の形態における排水ドレン７，１５は、本発明における排水ドレンの一例である。
【産業上の利用可能性】
【００４３】
本発明の排水装置は、防水機能を備えた機器に有用である。その応用例として、例えば防水機能を備えたノートパソコンなどの情報処理装置がある。
【図面の簡単な説明】
【００４４】
【図１】本実施の形態における情報処理装置の外観を示す斜視図
【図２】本実施の形態における情報処理装置の外観を示す斜視図
【図３】第１の筐体の上面側の構成を示す平面図
【図４】第１の筐体の裏面側の構成を示す平面図
【図５】図４におけるＺ−Ｚ部の断面図
【図６】本実施の形態における情報処理装置の他の構成例を示す平面図
【符号の説明】
【００４５】
１  第１の筐体
２  第２の筐体
４  蓋体
９  溝部
１１  ディスクドライブ
１２  排水溝
１５  排水ドレン
【図１】
2010049653.tif 000003
【図２】
2010049653.tif 000004
【図３】
2010049653.tif 000005
【図４】
2010049653.tif 000006
【図５】
2010049653.tif 000007
【図６】
2010049653.tif 000008